(57)【要約】【課題】室内と室外との温度差に起因した反りの発生を防止すること。【解決手段】四周に骨材を設けて構成したドア框１０の表面にパネル１６，１７を設けることによって構成したドアにおいて、戸先縦骨材１３は、見込み方向に沿った基板部１３ａと、基板部１３ａの両側から見付け方向に沿って延在する一対の平行延在部１３ｂ，１３ｃとを有したものであり、戸先縦骨材１３には、一対の平行延在部１３ｂ，１３ｃの先端間の開口を覆うように配置される補強基板部２０ａと、補強基板部２０ａの両側から平行延在部１３ｂ，１３ｃに対向するように配置される一対の補強延在部２０ｂ，２０ｃとを有した補強部材２０を配設し、互いに対向する平行延在部１３ｃと補強延在部２０ｃとの間には断熱材３０を介在させ、かつ平行延在部１３ｂと補強延在部２０ｂとは直接当接させた。【選択図】図３
2015218508.tif 000002
【特許請求の範囲】
【請求項１】
四周に骨材を設けてドア框を形成し、前記ドア框の表面にそれぞれパネルを設けることによって構成したドアにおいて、
前記ドア框の少なくとも戸先に位置する骨材は、見込み方向に沿った基板部と、前記基板部の両側からそれぞれ見付け方向に沿って延在する一対の平行延在部とを有したものであり、
前記骨材には、前記一対の平行延在部の先端間の開口を覆うように配置される補強基板部と、前記補強基板部の両側からそれぞれ前記平行延在部に対向するように配置される一対の補強延在部とを有した補強部材を配設し、
互いに対向する一方の前記平行延在部と前記補強延在部との間には断熱材を介在させ、かつ他方の前記平行延在部と前記補強延在部とは直接当接させたことを特徴とするドア。
【請求項２】
前記断熱材として加熱膨張材を介在させたことを特徴とする請求項１に記載のドア。
【請求項３】
前記一対の補強延在部の間に前記骨材を配設したことを特徴とする請求項１に記載のドア。
【請求項４】
前記補強部材の補強延在部は、前記骨材の平行延在部に対してそれぞれの外表面を覆うように配設したものであり、前記補強部材の補強基板部と、前記骨材における平行延在部の端面との間に介在するように前記補強基板部に断熱材を配設したことを特徴とする請求項１に記載のドア。
【発明の詳細な説明】
【技術分野】
【０００１】
本発明は、骨材を四周框組みして構成したドア框の表面にそれぞれ表面パネルを設けることによって構成したドアに関するものである。
【背景技術】
【０００２】
玄関等の出入口に設けられるドアは、骨材によって構成されるドア框と、ドア框の表裏両面にそれぞれ接合された表面パネルとを備えて構成されているのが一般的である。骨材は、平板状の基板部と、基板部の両側からそれぞれ互いに平行となるように屈曲して延在した一対の平行延在部とを有し、基板部がドアの見込み方向に沿った状態で四周框組みすることによりドア框を構成している。この種のドアでは、骨材と表面パネルとの間に断熱材を介在させることにより、室内と室外とに温度差が生じた場合にも、パネルの周縁部に結露が発生するのを防止するようにしている（例えば、特許文献１参照）。
【先行技術文献】
【特許文献】
【０００３】
【特許文献１】実公昭６４−７１８６号公報
【発明の概要】
【発明が解決しようとする課題】
【０００４】
ところで、上述したドアでは、室内と室外とに温度差が生じた場合、一対の平行延在部の伸びにも差が生じる。このため、例えば室内に火災が発生した場合には、室内側が高温状態となる一方、室外側が低温状態に維持されるため、骨材において室内側に位置する平行延在部が室外側に位置する平行延在部に対して大きく熱伸びすることになる。ここで、ドアの吊元側においては、ドア枠との間の複数箇所に設けたヒンジによって連結されているため、室内側の平行延在部に生じる熱伸びの影響を抑えることができる。しかしながら、ドアの戸先側においては、戸先錠装置を介してその中央部分のみがドア枠と結合された状態であるため、上端部や下端部が室外側に向けて湾曲し、ドアが室内側に向けて凸となるように反ってしまう事態が発生し得る。ドアが反った場合には、ドアとドア枠との間に隙間が生じ、ドアとドア枠との間の気密性や水密性が損なわれるばかりでなく、火災時には火炎の貫通口となるおそれもある。
【０００５】
本発明は、上記実情に鑑みて、室内と室外との温度差に起因した反りの発生を防止することのできるドアを提供することを目的とする。
【課題を解決するための手段】
【０００６】
上記目的を達成するため、本発明に係るドアは、四周に骨材を設けてドア框を形成し、前記ドア框の表面にそれぞれパネルを設けることによって構成したドアにおいて、前記ドア框の少なくとも戸先に位置する骨材は、見込み方向に沿った基板部と、前記基板部の両側からそれぞれ見付け方向に沿って延在する一対の平行延在部とを有したものであり、前記骨材には、前記一対の平行延在部の先端間の開口を覆うように配置される補強基板部と、前記補強基板部の両側からそれぞれ前記平行延在部に対向するように配置される一対の補強延在部とを有した補強部材を配設し、互いに対向する一方の前記平行延在部と前記補強延在部との間には断熱材を介在させ、かつ他方の前記平行延在部と前記補強延在部とは直接当接させたことを特徴とする。
【０００７】
この発明によれば、骨材の平行延在部と補強部材の補強延在部とが互いに当接することにより、反りに対する剛性が向上する。しかも、互いに対向する平行延在部と補強延在部との間の一方は断熱材を介して当接させているため、両者の間の熱伝達が小さくなり、内側に配置された部分の熱伸びが抑制され、かつ平行延在部と補強延在部との間の他方は直接当接させるようにしているため、両者の間の熱伝達が大きくなる。従って、断熱材を介在させた平行延在部と補強延在部とが高温側となるように配設すれば、高温側の伸びが抑えられる一方、低温側の伸びが促進され、骨材及び補強部材に反りが発生する事態を防止することが可能となる。
【０００８】
また本発明は、上述したドアにおいて、前記断熱材として加熱膨張材を介在させたことを特徴とする。
【０００９】
この発明によれば、加熱膨張材によって平行延在部と補強延在部との間の熱伝達が抑制される。
【００１０】
また本発明は、上述したドアにおいて、前記一対の補強延在部の間に前記骨材を配設したことを特徴とする。
【００１１】
この発明によれば、補強部材によって骨材の反りに対する剛性が向上する。しかも、補強延在部との間に断熱材を介在させた平行延在部の温度上昇が抑制される一方、補強延在部と直接当接した他方の平行延在部の温度上昇が促進されることになり、骨材が反る事態を防止することができる。
【００１２】
また本発明は、上述したドアにおいて、前記補強部材の補強延在部は、前記骨材の平行延在部に対してそれぞれの外表面を覆うように配設したものであり、前記補強部材の補強基板部と、前記骨材における平行延在部の端面との間に介在するように前記補強基板部に断熱材を配設したことを特徴とする。
【００１３】
この発明によれば、補強基板部に貼り付けた断熱材によって補強基板部から骨材の平行延在部への熱伝達を抑制することができる。
【発明の効果】
【００１４】
本発明によれば、骨材の平行延在部と補強部材の補強延在部とが互いに当接することにより、反りに対する剛性が向上する。しかも、互いに対向する平行延在部と補強延在部との間の一方は断熱材を介して当接させているため、両者の間の熱伝達が小さくなり、内側に配置された部分の熱伸びが抑制され、かつ平行延在部と補強延在部との間の他方は直接当接させるようにしているため、両者の間の熱伝達が大きくなる。従って、断熱材を介在させた平行延在部と補強延在部とが高温側となるように配設すれば、高温側の伸びが抑えられる一方、低温側の伸びが促進され、骨材及び補強部材に反りが発生する事態を防止することが可能となる。
【図面の簡単な説明】
【００１５】
【図１】図１は、本発明の実施の形態であるドアを室内側から見た図である。
【図２】図２は、図１に示したドアのパネルを取り外した状態の図である。
【図３】図３は、図１におけるＡ−Ａ線拡大断面図である。
【図４】図４は、図１に示したドアの戸先に位置する骨材と補強部材とを示す分解斜視図である。
【発明を実施するための形態】
【００１６】
以下、添付図面を参照しながら本発明に係るドアの好適な実施の形態について詳細に説明する。
図１〜図３は、本発明の実施の形態であるドアを示したものである。ここで例示するドアは、建築物の玄関に用いられるもので、矩形の枠状を成すドア框１０を備えている。ドア框１０は、上骨材１１、下骨材１２、戸先縦骨材１３及び吊元縦骨材１４を四周框組みすることによって構成したものである。戸先縦骨材１３及び吊元縦骨材１４は、見込み方向に沿った基板部１３ａ，１４ａと、基板部１３ａ，１４ａの両側からそれぞれ見付け方向に沿って延在する一対の平行延在部１３ｂ，１３ｃ、１４ｂ，１４ｃとを有したもので、平行延在部１３ｂ，１３ｃ、１４ｂ，１４ｃの間の開口が互いに内方を向いた状態で相互に連結してある。これらの骨材１３，１４は、例えば鉄やステンレス等の金属によって成形してある。図からも明らかなように、ドア框１０の戸先に位置する戸先縦骨材１３は、基板部１３ａの見込み方向に沿った寸法が吊元に位置する吊元縦骨材１４の基板部１４ａよりも小さい幅を有し、かつ平行延在部１３ｂ，１３ｃの見付け方向に沿った寸法が吊元縦骨材１４の平行延在部１４ｂ，１４ｃよりも大きな長さを有するように構成してある。尚、図には明示していないが、上骨材１１及び下骨材１２については、吊元縦骨材１４と同様の構成を有するように構成してある。
【００１７】
また、ドア框１０の戸先に位置する戸先縦骨材１３には、補強部材２０が接合してある。補強部材２０は、戸先縦骨材１３と同様、見込み方向に沿った補強基板部２０ａと、補強基板部２０ａの両側からそれぞれ見付け方向に沿って延在する一対の補強延在部２０ｂ，２０ｃとを有したもので、鉄もしくはステンレスによって成形してある。この補強部材２０は、補強基板部２０ａの見込み方向に沿った寸法が吊元に位置する吊元縦骨材１４の基板部１４ａとほぼ同じ幅を有するように構成してあり、戸先縦骨材１３の外周を囲繞する状態で戸先縦骨材１３に接合してある。
【００１８】
より具体的には、図３に示すように、戸先縦骨材１３の平行延在部１３ｂ，１３ｃに対してそれぞれの外表面に補強延在部２０ｂ，２０ｃを重ね合わせ、かつ平行延在部１３ｂ，１３ｃの先端間の開口を補強基板部２０ａによって覆う状態で戸先縦骨材１３に補強部材２０が接合してある。図３及び図４に示すように、戸先縦骨材１３において室内側に配置される平行延在部（以下、区別する場合に「室内平行延在部１３ｃ」という）の外表面と補強部材２０において室内側に配置される補強延在部（以下、区別する場合に「室内補強延在部２０ｃ」という）の内表面との間は加熱膨張材（断熱材）３０を介して当接させるようにしている一方、戸先縦骨材１３において室外側に配置される平行延在部（以下、区別する場合に「室外平行延在部１３ｂ」という）の外表面と補強部材２０において室外側に配置される補強延在部（以下、区別する場合に「室外補強延在部２０ｂ」という）の内表面との間は直接当接させるようにしている。また、戸先縦骨材１３の基板部１３ａに対して外表面となる位置に加熱膨張材３１が貼り付けてあるとともに、補強部材２０の補強基板部２０ａに対して内表面となる位置に加熱膨張材３２が貼り付けてある。それぞれの加熱膨張材３０，３１，３２は、断熱性を有した樹脂材によって成形したもので、戸先縦骨材１３及び補強部材２０の長手方向に沿った全長にわたって配設してある。補強基板部２０ａの内表面に貼り付けた加熱膨張材３２は、骨材１３における平行延在部１３ｂ，１３ｃの個々の端面との間に介在するように配設してある。
【００１９】
尚、図４中の符号２０ｄは、戸先錠装置４０を貫通させるために補強部材２０の補強基板部２０ａに形成した貫通孔である。また符号５０は、補強基板部２０ａから突出した戸先錠装置４０の周囲を覆う錠補強材であり、符号５１は、錠補強材５０を補強基板部２０ａに取り付けるための上下一対の取付ブラケットである。
【００２０】
上記の構成を有するドア框１０は、図３に示すように、枠内部にウレタンや段ボールハニカム等の芯材１５を充填した後、表面にそれぞれパネル１６，１７を設けることによってドアを構成する。さらに、このドアは、上述したように、加熱膨張材３０を介して当接された戸先縦骨材１３の室内平行延在部１３ｃと補強部材２０の室内補強延在部２０ｃとが室内側となる状態で、吊元側の端面とドア枠６０との間の複数箇所に設けたヒンジ７０により、ドア枠６０に対してヒンジ軸７１を中心に回転可能に支持される。尚、図中の符号７２は、戸先側の端面に設けた戸先カバーである。
【００２１】
上記のように構成したドアによれば、戸先縦骨材１３と補強部材２０とが互いに接合された状態にあるため、戸先縦骨材１３が単体で戸先に配置されている場合に比べて戸先側の剛性が大幅に増大することになる。しかも、戸先縦骨材１３の室内平行延在部１３ｃは、室内側の表面が加熱膨張材３０及び補強部材２０の室内補強延在部２０ｃによって覆われた状態にある。さらに、補強基板部２０ａの内表面と骨材１３における平行延在部１３ｂ，１３ｃの端面との間には加熱膨張材３２が介在している。従って、例えば火災が発生して室内側が高温状態となった場合、補強部材２０の室内補強延在部２０ｃは高温状態となるものの、室内平行延在部１３ｃについては、加熱膨張材３２によって補強基板部２０ａからの伝熱が抑制されるため、大きく熱伸びする程度に温度が上昇するおそれがない。さらに、戸先縦骨材１３の室外平行延在部１３ｂに対しては、補強部材２０の室外補強延在部２０ｂが直接当接しているため、高温状態となった室内補強延在部２０ｃの熱が補強基板部２０ａ及び室外補強延在部２０ｂを介して伝達され、熱伸びが促進されるようになる。従って、戸先縦骨材１３及び補強部材２０に反りが発生する事態を防止することが可能となり、ドアとドア枠６０との間に隙間が生じるおそれがなくなる。
【００２２】
尚、上述した実施の形態では、戸先縦骨材１３の平行延在部１３ｂ，１３ｃに対してそれぞれの外表面に補強延在部２０ｂ，２０ｃを重ね合わせるようにしているが、補強部材２０の補強延在部２０ｂ，２０ｃに対してそれぞれの外表面に平行延在部１３ｂ，１３ｃを重ね合わせるようにして戸先縦骨材１３と補強部材２０とを当接させるようにしても良い。また、戸先縦骨材１３にのみ補強部材２０を設けるようにしているが、その他の骨材１１，１２，１４に補強部材を設けても構わない。尚、骨材としては鉄やステンレスで成形したものに限らず、アルミニウムによって成形したものを適用しても良い。
【００２３】
さらに、室内平行延在部１３ｃと室内補強延在部２０ｃとの間に断熱材として加熱膨張材３０を介在させるようにしているが、室外平行延在部１３ｂと室外補強延在部２０ｂとの間に断熱材を介在させ、かつ室内平行延在部１３ｃと室内補強延在部２０ｃとの間を直接当接させるようにしても良い。このように構成したドアによれば、日射によって室外側が室内側に比べて高温状態となった場合にも、ドアが室外側に向けて凸となるように反ってしまう事態を防止することができるようになる。
【符号の説明】
【００２４】
１０  ドア框、１３  戸先縦骨材、１３ａ  基板部、１３ｂ，１３ｃ  平行延在部、１６，１７  パネル、２０  補強部材、２０ａ  補強基板部、２０ｂ，２０ｃ  補強延在部、３０  加熱膨張材
【図１】
2015218508.tif 000003
【図２】
2015218508.tif 000004
【図３】
2015218508.tif 000005
【図４】
2015218508.tif 000006